(57)【要約】【課題】筒状投入口から手を入れることが可能な状態では調理手段が動かない電動調理器を提供すること。【解決手段】蓋体３の筒状投入口１１に挿入される押し棒５に永久磁石１３を設け、本体２に前記蓋体３を押さえ付けるためのクランプ９を前記本体２に設けると共に、前記クランプ９に磁気検知手段としてのリードスイッチ１０を設け、前記クランプ９で前記蓋体３を前記本体２に押し付けることで、前記リードスイッチ１０が前記筒状投入口１１に近接するように配置され、この状態で、前記押し棒５を前記筒状投入口１１から軸方向に挿入すると、前記リードスイッチ１０が前記永久磁石１３の磁気を検知し、これによって、前記本体２内の電動機６が作動して、調理手段としての下ろし刃体７が回転するので、手等が前記筒状投入口１１に挿入されても前記電動機６が作動しないので、従来の電動調理器に比べてより安全にできる。【選択図】図１
2008048790.tif 000002
【特許請求の範囲】
【請求項１】
電動機及び調理手段を有する本体と、筒状投入口が設けられた蓋体と、前記筒状投入口に対して軸方向に挿入されると共に食品を前記調理手段に押し付けるための押し棒とを有する電動調理器において、前記筒状投入口に挿入される前記押し棒に永久磁石を設け、前記蓋体を前記本体に押さえ付けるためのクランプを前記本体に設けると共に、このクランプによって前記蓋体が前記本体に押さえ付けられた状態で、前記クランプにおける前記筒状投入口に近接する部位に磁気検知手段を設けたことを特徴とする電動調理器。
【請求項２】
前記永久磁石が、前記押し棒の軸方向に沿うように設けられていることを特徴とする請求項１記載の電動調理器。
【発明の詳細な説明】
【技術分野】
【０００１】
本発明は、ジューサーや電動下ろし器等の電動調理器に関するものである。
【背景技術】
【０００２】
従来、この種の電動調理器としては、電動機が内蔵されると共にこの電動機によって回転させられる下ろし刃体（本発明の調理手段に該当する）を有する本体と、筒状投入口が設けられた蓋体と、この筒状投入口に対して軸方向に挿入される押し棒とを有するものが知られている（例えば、特許文献１参照。）。なお、このような電動調理器では、下ろし刃体等の刃物が動いて危険なので、前記蓋体が外れないようにフックが設けられていると共に、前記蓋体が取り付けられた状態でなければ前記電動機が作動しないように安全スイッチが設けられているのが一般的である。
【特許文献１】特開２００５−３０４９６６号公報
【発明の開示】
【発明が解決しようとする課題】
【０００３】
しかしながら、このような電動調理器においては、一度に多くの食品をすり下ろすこと等ができるように、前記筒状投入口の開口面積を大きくした場合、動作可能な状態の電動調理器の前記筒状投入口から乳幼児等が手等を入れることが可能となってしまい、この結果、安全スイッチがあったとしても、必ずしも安全とは言えないという問題があった。
【０００４】
本発明は以上の問題点を解決し、筒状投入口から手を入れることが可能な状態では調理手段が動かない電動調理器を提供することを目的とする。
【課題を解決するための手段】
【０００５】
本発明の請求項１に記載の電動調理器は、電動機及び調理手段を有する本体と、筒状投入口が設けられた蓋体と、前記筒状投入口に対して軸方向に挿入されると共に食品を前記調理手段に押し付けるための押し棒とを有する電動調理器において、前記筒状投入口に挿入される前記押し棒に永久磁石を設け、前記蓋体を前記本体に押さえ付けるためのクランプを前記本体に設けると共に、このクランプによって前記蓋体が前記本体に押さえ付けられた状態で、前記クランプにおける前記筒状投入口に近接する部位に磁気検知手段を設けたものである。
【０００６】
また、本発明の請求項２に記載の電動調理器は、請求項１において、前記永久磁石が、前記押し棒の軸方向に沿うように設けられているものである。
【発明の効果】
【０００７】
本発明の請求項１に記載の電動調理器は、以上のように構成することにより、前記本体に蓋体を取り付けた後、前記クランプによって前記蓋体を前記本体に押さえ付けることで前記蓋体が外れない状態とし、前記筒状投入口から食材を投入した後、前記永久磁石が設けられた押し棒を前記筒状投入口から軸方向に挿入して前記食材を前記調理手段に押し付けることで、前記筒状投入口に近接して設けられた磁気検知手段が前記永久磁石の磁気を検知し、これによって、前記電動機が作動して前記調理手段を動かす。従って、磁気を有する前記押し棒が前記筒状投入口に挿入された場合のみ前記電動機が作動し、磁気を有さない手等が前記筒状投入口に挿入された場合には前記電動機が作動しないので、従来の電動調理器に比べてより安全にできる。
【０００８】
また、前記永久磁石が、前記押し棒の軸方向に沿うように設けられているので、前記押し棒によって食材を前記調理手段に押し付けている間、前記磁気検知手段によって前記押し棒に設けられた永久磁石の磁気を検知し続けることができる。
【発明を実施するための最良の形態】
【０００９】
以下、本発明の実施例について、図１乃至図４に基づいて説明する。１は本発明の電動調理器の一例としてのジューサーである。このジューサー１は、本体２と、この本体２に被せられる蓋体３と、滓受け容器４と、押し棒５とを有して構成されている。
【００１０】
前記本体２には、内蔵された電動機６によって回転させられる調理手段としての下ろし刃体７が着脱自在に取り付けられている。また、前記本体２には、前記下ろし刃体７によってすり下ろされた食材から得られたジュースを取り出すための注出口８が設けられている。更に、前記本体２には、この本体２の上部に前記蓋体３を押さえ付けるためのクランプ９が枢支されている。なお、このクランプ９は、合成樹脂等、磁気を透過させることができる素材で構成されていると共に、前記クランプ９には、磁気検知手段としてのリードスイッチ１０が設けられている。
【００１１】
前記蓋体３は、前記本体２の上部に着脱自在に取り付けられている。そして、前記蓋体３には、食材を投入するための筒状投入口１１が一体に設けられている。なお、この筒状投入口１１を含む前記蓋体３は、合成樹脂等、磁気を透過させることができる素材で構成されている。また、前記蓋体３には、前記クランプ９が係合するための係合部１２が形成されている。更に、前記クランプ９に設けられたリードスイッチ１０は、前記蓋体３を前記本体２に押し付けた状態で、前記筒状投入口１１の外面に近接するように構成されている。
【００１２】
前記滓受け容器４は、前記本体２の側方で且つ前記蓋体３の下方に着脱自在に設けられる。そして、前記滓受け容器４には、前記下ろし刃体７によってすり下ろされた食材からジュースが搾り取られた残滓が溜められるように構成されている。
【００１３】
前記押し棒５は、前記筒状投入口１１の上方から挿入可能に構成されている。そして、前記押し棒５は、合成樹脂等、磁気を透過させることができる素材で構成されていると共に、その外面寄りに永久磁石１３が設けられている。なお、この永久磁石１３は、前記クランプ９によって前記蓋体３が前記本体２に押し付けられた状態で、前記筒状投入口１１から投入された時に、前記クランプ９に設けられたリードスイッチ１０に近接する位置に設けられている。また、前記永久磁石１３は、前記筒状投入口１１に前記押し棒５を奥まで押し込んだ状態で前記リードスイッチ１０とほぼ同じ高さとなる位置から、前記押し棒５の下端近傍まで、前記押し棒５の軸方向に沿って長く設けられている。
【００１４】
前記ジューサー１の回路について、図４に基づいて説明する。１４は電源プラグであり、この電源プラグ１４には、主スイッチ１５、リレー１６及び前記電動機６を有する直列回路が接続されている。また、前記リレー１６と電動機６を有する直列回路と並列に、リレー駆動回路１７が設けられており、このリレー駆動回路１７に前記リードスイッチ１０が接続されていると共に、前記リレー駆動回路１７によって前記リレー１６が作動可能に構成されている。
【００１５】
次に、本実施形態の作用について説明する。まず、使用者は前記本体２に前記下ろし刃体７を取り付け、前記滓受け容器４を前記本体２の側方に設置した後、前記蓋体３を前記本体２及び滓受け容器４の上から被せる。そして、前記本体２に枢支されたクランプ９を回動させて起こすことで、前記本体２の上部に前記蓋体３を押さえ付ける。この際、前記クランプ９に設けられた前記リードスイッチ１０は、前記蓋体３の筒状投入口１１の外面に近接する。そして、前記電源プラグ１４を図示しない電源差込口に差し込んだ後、前記主スイッチ１５を閉じる。更に、前記筒状投入口１１から食材を投入した後、前記押し棒５を前記筒状投入口１１に挿入し、前記押し棒５によって前記食材を前記下ろし刃体７に押し付ける。この時、前記押し棒５に設けられた永久磁石１３の下端近傍の磁気を前記リードスイッチ１０が検知することで、前記リレー駆動回路１７が前記リレー１６の電磁コイル１６Ａを作動させて、前記リレー１６のスイッチ１６Ｂを閉じる。これによって、前記電源プラグ１４から前記主スイッチ１５及び前記リレー１６のスイッチ１６Ｂを経て前記電動機６に電力が供給されて前記電動機６が回転し、この電動機６によって前記下ろし刃体７が回転させられる。この結果、回転する前記下ろし刃体７に前記食材が押し付けられてすり下ろされる。なお、このすり下ろされた食材から、遠心力によってジュースが分離された後、この分離されたジュースが前記注出口８から注出されると共に、残滓が遠心力によって前記滓受け容器４に送られる。
【００１６】
なお、更に前記押し棒５を下方に押し込むと、この押し棒５に設けられた前記永久磁石１３も下方に押し込まれることになるが、前述したように、前記永久磁石１３が前記押し棒５の軸方向に沿って長く設けられているので、この間、前記永久磁石１３の中間部分の磁気が前記リードスイッチ１０によって検知される。更に、前記押し棒５が前記筒状投入口１１に奥まで押し込まれると、前記永久磁石１３の上端近傍の磁気が前記リードスイッチ１０によって検知される。従って、前記永久磁石１３の磁気が前記リードスイッチ１０によって感知された後、前記押し棒５が下方に押し込まれている間中、前記永久磁石１３の磁気を前記リードスイッチ１０が検知することができる。
【００１７】
なお、図２に示すように、前記クランプ９によって前記蓋体３が前記本体２に押さえ付けられていない状態では、前記筒状投入口１１に前記押し棒５を挿入したとしても、前記クランプ９に設けられたリードスイッチ１０が前記押し棒５に設けられた永久磁石１３の磁気を検知することができない。従って、前記蓋体３が前記本体１から外れてしまう虞のある状態では、前記電動機６、ひいては前記下ろし刃体７が回転することがなく、前記食材がすり下ろされない。また、図３に示すように、前記筒状投入口１１に前記押し棒５が挿入されていない状態では、前記リードスイッチ１０が前記筒状投入口１１の近傍に配置されていたとしても、磁気源が前記筒状投入口１１内に存在しないので、前記リードスイッチ１０は磁気を検知することができない。従って、乳幼児等が前記筒状投入口１１に手等を入れてしまう虞のある状態では、前記電動機６、ひいては前記下ろし刃体７が回転することがない。
【００１８】
以上のように本発明は、蓋体３の筒状投入口１１に挿入される押し棒５に永久磁石１３を設け、本体２に前記蓋体３を押さえ付けるためのクランプ９を前記本体２に設けると共に、前記クランプ９に磁気検知手段としてのリードスイッチ１０を設け、前記クランプ９で前記蓋体３を前記本体２に押し付けることで、前記リードスイッチ１０が前記筒状投入口１１に近接するように配置され、この状態で、前記永久磁石１３が設けられた押し棒５を前記筒状投入口１１から軸方向に挿入すると、前記リードスイッチ１０が前記永久磁石１３の磁気を検知し、これによって、前記本体２内の電動機６が作動して、調理手段としての下ろし刃体７が回転するので、磁気を有さない手等が前記筒状投入口１１に挿入されても前記電動機６が作動しないので、従来の電動調理器に比べてより安全にできるものである。
【００１９】
また、前記永久磁石１３が、前記押し棒５の軸方向に沿うように長く設けられているので、前記押し棒５によって食材を前記下ろし刃体７に押し付けている間中、前記リードスイッチ１０によって前記押し棒５に設けられた永久磁石１３の磁気を検知し続けることができるものである。
【００２０】
なお、本発明は以上の実施形態に限定されるものではなく、発明の要旨の範囲内で種々の変形実施が可能である。例えば、上記実施形態では、電動調理器の一例としてジューサーを用いて説明したが、これ以外の電動調理器、例えば電動下ろし器や電動スライサー等であってもよい。また、上記実施形態では、調理手段が回転するものであるが、前記調理手段が往復動するものであってもよい。更に、上記実施形態では、磁気検知手段としてリードスイッチを用いたが、これ以外の磁気センサ等を用いてもよい。
【図面の簡単な説明】
【００２１】
【図１】本発明の一実施例を示す電動調理器の側面図である。
【図２】同上、蓋押さえ体が蓋体と係合していない状態における側面図である。
【図３】同上、押し棒が筒状投入口に挿入されていない状態における側面図である。
【図４】同上、回路図である。
【符号の説明】
【００２２】
１  ジューサー（調理器）
２  本体
３  蓋体
５  押し棒
６  電動機
７  下ろし刃体（調理手段）
９  クランプ
１０  リードスイッチ（磁気検知手段）
１１  筒状投入口
１３  永久磁石
【図１】
2008048790.tif 000003
【図２】
2008048790.tif 000004
【図３】
2008048790.tif 000005
【図４】
2008048790.tif 000006